(57)【要約】【課題】本発明は、高機能化、高付加価値化を実現した表示装置及び電子機器を提供することを課題とする。【解決手段】本発明は、透光性を有する基板の一方の面側に、透光性の一対の電極を含む発光素子を具備し、前記基板の一方の面と対向する他方の面側に、一対の電極を含む液晶素子を具備する。そして、前記発光素子から得られる光は、前記基板の一方の面側と、前記基板の他方の面側に前記液晶素子を介して出射し、前記基板の一方の面側に前記発光素子を用いた第１の表示面を具備し、前記基板の他方の面側に前記発光素子及び前記液晶素子を用いた第２の表示面を具備することを特徴とする。【選択図】  図１
2004325600.tif 000002
【特許請求の範囲】
【請求項１】
透光性を有する基板の一方の面側に、透光性の一対の電極を含む発光素子を具備し、
前記基板の一方の面と対向する他方の面側に、一対の電極を含む液晶素子を具備し、
前記発光素子から得られる光は、前記基板の一方の面側と、前記基板の他方の面側に前記液晶素子を介して出射し、
前記基板の一方の面側に前記発光素子を用いた第１の表示面を具備し、前記基板の他方の面側に前記発光素子及び前記液晶素子を用いた第２の表示面を具備することを特徴とする表示装置。
【請求項２】
透光性を有する基板の一方の面側に、透光性の一対の電極を含む発光素子を具備し、
前記基板の一方の面と対向する他方の面側に、一対の電極を含む液晶素子を具備し、
前記発光素子から得られる光は、前記基板の一方の面側と、前記基板の他方の面側に前記液晶素子を介して出射し、
前記基板の一方の面側に前記発光素子を用いた第１の表示面を具備し、前記基板の他方の面側に前記発光素子及び前記液晶素子を用いた第２の表示面を具備し、
前記液晶素子は少なくとも２枚の偏光板に挟まれており、前記２枚の偏光板の各々の偏光方向は異なることを特徴とする表示装置。
【請求項３】
請求項２において、前記２枚の偏光板の偏光方向のなす角度は、４５乃至９０度であることを特徴とする表示装置。
【請求項４】
請求項１又は請求項２において、前記第１及び前記第２の表示面の大きさは等しいことを特徴とする表示装置。
【請求項５】
請求項１又は請求項２において、前記発光素子から得られる光は白色であることを特徴とする表示装置。
【請求項６】
請求項１又は請求項２において、前記発光素子から得られる光は白色であり、前記基板の一方の面側にカラーフィルタを有することを特徴とする表示装置。
【請求項７】
請求項１又は請求項２において、前記発光素子から得られる光は白色であり、前記基板の他方の面側にカラーフィルタを有することを特徴とする表示装置。
【請求項８】
請求項１又は請求項２において、前記発光素子から得られる光は白色であり、前記基板の一方の面側及び他方の面側にカラーフィルタを有することを特徴とする表示装置。
【請求項９】
請求項１又は請求項２において、前記発光素子から得られる光は、赤色、青色及び緑色のいずれかであることを特徴とする表示装置。
【請求項１０】
請求項１乃至請求項９のいずれか一項に記載の前記表示装置を用いることを特徴とする電子機器。
【請求項１１】
請求項１乃至請求項９のいずれか一項に記載の前記表示装置を用いた電子機器において、
前記電子機器は充電手段を具備し、
前記充電手段を用いて前記表示装置を充電するときに、前記発光素子を発光させる発光制御手段を具備することを特徴とする電子機器。
【請求項１２】
請求項１乃至請求項９のいずれか一項に記載の前記表示装置を用いた電子機器において、
前記電子機器は充電手段を具備し、
前記充電手段を用いて前記表示装置を充電するときに、前記発光素子を発光させる発光制御手段を具備し、
前記発光制御手段は、前記発光素子を点灯又は点滅させる制御プログラムが記録された記録媒体を含むことを特徴とする電子機器。
【請求項１３】
請求項１乃至請求項９のいずれか一項に記載の前記表示装置を用いた電子機器において、
前記電子機器は充電手段を具備し、
前記充電手段を用いて前記表示装置を充電するときに、前記発光素子を発光させる発光制御手段を具備し、
前記発光制御手段は、通常表示画面の明暗を反転させた反転表示画面を点灯又は点滅させる制御プログラムが記録された記録媒体を含むことを特徴とする電子機器。
【発明の詳細な説明】
【０００１】
【発明の属する技術分野】
本発明は、表示画面を表裏に有する表示装置に関する。また、携帯電話やタブレットＰＣ等の携帯端末や、ディジタルビデオカメラやディジタルスチルカメラ等の表示装置を具備した電子機器に関する。
【０００２】
【従来の技術】
表示装置としては、液晶を含む画素を有する液晶パネルや、エレクトロルミネッセンス（ＥＬ）素子等を代表とする自発光型の素子を用いた発光パネルの研究開発が進められている。発光素子を用いた表示装置は、発光型ゆえの高画質、広視野角、バックライトを必要としないことによる薄型、軽量等の利点を活かして、幅広く利用されている。
【０００３】
また、最近急激に普及した携帯端末は、その使用目的の多角化によって高付加価値が求められ、第１の表示画面と、その裏側に第２の表示画面を設けた、表裏に表示画面を有するものが提供されている（例えば特許文献１参照）。
【０００４】
【特許文献１】特開２００１−２８５４４５号公報
【０００５】
【発明が解決しようとする課題】
本来の第１の表示画面に加え、サブの第２の表示画面を設けた携帯端末は、バックライト等を含むモジュールが占める容積に加え、それらを駆動するコントロールＩＣ等を実装した基板等が占める容積も無視できないものになる。特に最近提供されている携帯端末は、軽薄短小化が著しく、高付加価値化とのトレードオフとなっている。
【０００６】
また、携帯端末のうち、特に携帯電話機に関しては、新規加入の減少傾向が続いており、市場の伸び悩みがはっきりしてきている。そこで、携帯電話機の機能は、新規加入の増減や機種選択を左右する大きな要素となるため、さらなる高機能化、高付加価値化が求められている。
【０００７】
そこで本発明は、容積の小型化が可能なパネルを用いることで、高付加価値化を実現した表示装置及び電子機器を提供することを課題とする。また、市場の活性化のため、さらなる高機能化、高付加価値化を実現した表示装置及び電子機器を提供することを課題とする。
【０００８】
【課題を解決するための手段】
上述した従来技術の課題を解決するために、本発明においては以下の手段を講じる。
【０００９】
本発明は、透光性を有する基板の一方の面側に、透光性の一対の電極を含む発光素子を具備し、前記基板の一方の面と対向する他方の面側に、一対の電極を含む液晶素子を具備する。そして、前記発光素子から得られる光は、前記基板の一方の面側と、前記基板の他方の面側に前記液晶素子を介して出射し、前記基板の一方の面側に前記発光素子を用いた第１の表示面を具備し、前記基板の他方の面側に前記発光素子及び前記液晶素子を用いた第２の表示面を具備することを特徴とする。
【００１０】
つまり、発光素子から発せられる光は、基板の表裏に出射し、基板の一方の面側に出射する光を用いて画像を表示し、他方に出射する光は液晶素子の光源として用いる。従って、液晶パネルを用いる際に通常必要である、バックライト（ランプ、ランプリフレクタ、反射板、導光板、拡散板等）を設ける必要がなく、表裏に表示画面を有するにも関わらず、小型化、軽量化を実現した表示装置及び電子機器を提供することができる。
【００１１】
また、発光素子を光源とし、液晶素子を用いて画像を表示する際には、液晶素子が黒を表示する場合に、発光素子も非点灯にすることで、低消費電力化を実現した表示装置及び電子機器を提供することができる。
【００１２】
前記液晶素子は少なくとも２枚の偏光板に挟まれており、前記２枚の偏光板の各々の偏光方向は異なっている。より詳しくは、偏光方向のなす角度は４５乃至９０度であることを特徴とする。この場合、本表示装置の透過率は５％以下となる。
【００１３】
第１及び第２の表示画面は、モノクロ表示及びカラー表示のいずれかの表示を行うが、発光素子が有する発光材料や、カラーフィルタを含むか否かによって、下記に挙げるような６つの場合が挙げられる。
【００１４】
第１の場合として前記発光素子から得られる光は白色である場合が挙げられる。第２の場合として前記発光素子から得られる光は白色であり、前記基板の一方の面側にカラーフィルタを有する場合が挙げられる。第３の場合として前記発光素子から得られる光は白色であり、前記基板の他方の面側にカラーフィルタを有する場合が挙げられる。第４と第５の場合として前記発光素子から得られる光は白色であり、前記基板の一方の面側及び他方の面側の各々にカラーフィルタを有する場合が挙げられる。この場合、カラーフィルタを２枚とも発光パネルに設ける場合を第４の場合、一枚は発光パネル、もう一枚は液晶パネルに設ける場合を第５の場合とする。第６の場合として前記発光素子から得られる光は、赤色、青色及び緑色のいずれかである場合が挙げられる。上記の場合のうち、薄型化を重視する場合には、カラーフィルタを有さない構成を選択すると好適である。
【００１５】
上記構成を有する表示装置を用いた電子機器において、前記電子機器は充電手段を具備し、前記充電手段を用いて前記表示装置を充電するときに、前記発光素子を発光させる発光制御手段を具備することを特徴とする。また、前記発光制御手段は、前記発光素子を点灯又は点滅させる制御プログラムが記録された記録媒体を含むことを特徴とする。さらに、前記発光制御手段は、通常表示画面の明暗を反転させた反転表示画面を点灯又は点滅させる制御プログラムが記録された記録媒体を含むことを特徴とする。
【００１６】
上記構成により、通常の使用状態ではないときに、発光素子を点灯又は点滅させることで、焼き付き現象を防止した表示装置及び電子機器を提供することができる。
【００１７】
【発明の実施の形態】
（実施の形態１）
本発明の実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する本発明の構成において、同じものを指す符号は異なる図面間で共通して用いる。
【００１８】
本発明の表示装置の詳しい構成について、図１を用いて説明する。図１（Ａ）において、１０１は発光パネルであり、１０２は液晶パネルである。本発明は、発光パネル１０１及び液晶パネル１０２を含むことを特徴とした表示装置を提供するものであり、発光パネル１０１は、透光性を有する基板の一方の面側に複数の画素が具備され、前記複数の画素の各々は、透光性を有する一対の電極を含む自発光型の表示素子が具備される。この自発光型の表示素子は、基板の一方の面側と、他方の面側に光を発する。
【００１９】
本発明は、基板の一方の面側に第１の表示画面を構成し、該基板の他方の面側に第２の表示画面を構成する。つまり、本発明の表示装置は、表裏に第１及び第２の表示画面を有する、所謂マルチディスプレイとよばれるものであり、第１及び第２の表示画面のうち、一方は発光素子で構成され、他方は発光素子を光源とした液晶素子で構成される。
【００２０】
発光パネル１０１及び液晶パネル１０２は、モノクロ表示及びカラー表示のいずれかの表示を行うが、発光素子が有する発光材料や、液晶パネル１０２がカラーフィルタを含むか否かによって、図１（Ｃ）に示すような６つの場合が挙げられる。
【００２１】
１番目として、発光パネル１０１が具備する発光素子から得られる光は白色のみである場合、つまり発光パネル１０１が白色発光のみで、液晶パネル１０２がカラーフィルタを有する場合、発光パネル１０１はモノクロ表示、液晶パネル１０２はカラー表示となる。
２番目として、発光パネル１０１が白色発光のみでカラーフィルタを有し、液晶パネル１０２がカラーフィルタを有する場合、発光パネル１０１及び液晶パネル１０２の両者ともカラー表示となる。なお、カラーフィルタは、発光素子で構成する基板の一方の面側に設ける。
３番目として、発光パネル１０１が白色発光のみで、液晶パネル１０２がカラーフィルタを有していない場合、発光パネル１０１及び液晶パネル１０２の両者ともモノクロ表示となる。
４番目として、発光パネル１０１が白色発光のみでカラーフィルタを有し、液晶パネル１０２がカラーフィルタを有していない場合、発光パネル１０１がカラー表示、液晶パネル１０２がモノクロ表示となる。なお、カラーフィルタは、発光素子で構成する基板の一方の面側に設ける。
５番目として、発光パネル１０１が白色発光のみで表裏にカラーフィルタを有し、液晶パネル１０２がカラーフィルタを有していない場合、発光パネル１０１及び液晶パネル１０２の両者ともカラー表示となる。
６番目として、発光パネル１０１が、ＲＧＢの各色に発光する発光素子を有し、液晶パネル１０２がカラーフィルタを有していない場合、発光パネル１０１及び液晶パネル１０２の両者ともカラー表示となる。この構成の場合、カラーフィルタを設ける必要がなく薄型化が実現される。従って、薄型化を重視する場合には、本構成を採用するとよい。
【００２２】
なお、上記記載では、カラーフィルタを用いる場合を記載したが、本発明はこの場合に限定されず、色変換層（ＣＣＭ層）を用いてもよい。また、図１（Ｃ）において、ＲＧＢ発光とは、ＲＧＢの各色の発光材料を用いることであるが、本発明はこれに限定されず、何色の色を呈する材料を用いてもよい。また、各色の発光材料では、所定の輝度を得るための電流密度はそれぞれ異なるため、補助的にカラーフィルタを用いてもよい。なお、補助的にカラーフィルタを用いる場合、必ずしも全ての色に対応して設ける必要はなく、ＲＧＢの三色から選択されたいずれかの色だけに対応させて設けてもよい。
【００２３】
また、上記に挙げた６つの場合のうち、どの構成を採用するかは、適用される電子機器やその用途に従って決めるとよい。また、発光パネル１０１及び液晶パネル１０２のうち、どちらをメインのパネル、どちらをサブのパネルにするのかは、適用される電子機器やその用途に従って決めるとよい。
【００２４】
続いて、本発明の表示装置のより詳しい構成について、図１（Ｃ）に示す。本発明の表示装置は、偏光板１０３、発光パネル１０１、偏光板１０５、液晶パネル１０２及び偏光板１０７を重ねた構成を有する。
【００２５】
図１（Ｂ）において、液晶パネル１０２が含む２枚の偏光板１０５及び１０７は必須であるが、発光パネル１０１が含む偏光板１０３は、コントラスト向上のために設けられているものであり、用途によっては、設けなくても構わない。なお、液晶パネル１０２が含む２枚の偏光板１０５及び１０７の偏光方向のなす角度は、４５乃至９０度に設定する。
【００２６】
また、発光パネル１０１が含む複数の画素と、液晶パネル１０２が含むが有する複数の画素は、その画素ピッチ等を同じサイズで設計することが好ましい。この場合、発光パネル１０１を常に点灯させておく必要はなく、液晶パネル１０２が黒の表示をする場合には、発光パネル１０１における該当する画素も黒の表示を行えばよい。そうすると、低消費電力化を実現した表示装置及び電子機器を提供することができる。
【００２７】
また、表裏に表示画面を有する表示装置を有する電子機器のうち、携帯電話機は、通話やメール時の画像を表示するメイン画面と、折り畳み時の着信情報等を表示するサブ画面を有し、メイン画面とサブ画面とで、表示画面のサイズが異なる。そして多くの場合において、メイン画面の方がサブ画面よりも大きい。この場合に本発明の表示装置を適用し、液晶パネル１０２の表示画面をメイン画面、発光パネル１０１の表示画面をサブ画面とすると、光源として用いる発光パネル１０１のサイズが、液晶パネル１０２よりも小さくなってしまう。
【００２８】
この場合には、図２（Ａ）（Ｂ）に示すように、発光パネル１０１に設ける筐体を工夫して、発光パネル１０１のうち、中央の部分のみを用いて画像の表示を行うようにするとよい。また、走査線駆動回路には、デコーダを用いるとよい。フリップフロップ回路を用いたシフトレジスタでは、走査線を順に選択していくが、デコーダを用いれば、アドレスを指定することで、任意の走査線を選択することができるため、本構成の表示装置に好適である。
【００２９】
また、それ以外の構成として、発光パネル１０１の周囲に導光板や明るさのムラを低減する拡散板、光を再利用する反射板などを設けてもよい。この場合には、発光パネル１０１のサイズが、液晶パネル１０２のサイズよりも小さくても、液晶パネル１０２に均等に光を供給することができる。
【００３０】
上記構成を有する本発明は、液晶パネルを用いる際に通常必要である、バックライト（ランプ、ランプリフレクタ、反射板、導光板、拡散板等）を設ける必要がなく、表裏に表示画面を有するにも関わらず、小型化、軽量化を実現した表示装置及び電子機器を提供することができる。
【００３１】
（実施の形態２）
本発明の実施の形態について、図面を用いて説明する。図３（Ａ）は、本発明の表示装置の断面図であり、詳しくは発光パネル１０１及び液晶パネル１０２の断面図を示す。発光パネル１０１は、基板２１２上に駆動用ＴＦＴ２２８を有し、該駆動用ＴＦＴ２２８のソース電極又はドレイン電極と電気的に接続された第１の電極２２１、該第１の電極２２１上に電界発光層２２２、該電界発光層２２２上に第２の電極２２３を有する。第１の電極２２１、電界発光層２２２及び第２の電極２２３の積層体が発光素子２２５に相当する。第２の電極２２３上には保護膜２２４が設けられ、図面上では、空隙を介して、封止基板２２６が設けられる。
【００３２】
本発明は、発光素子２２５の両電極の材料、つまり、第１及び第２の電極（陰極及び陽極）２２１、２２３の材料を透光性とし、また基板２２０と封止基板２２６として透光性のものを用いているために、電界発光層２２２からの発光は、第１の電極２２１側と第２の電極２２３側の表裏に発せられる。
【００３３】
なお、封止基板２２６に接して偏光板２２７が設けられているが、要求されるコントラストやその用途に従い、必要のない場合は設けなくてもよい。
【００３４】
液晶パネル１０２は、基板２１２上にＴＦＴ２１４及び保持容量２１３を有し、該ＴＦＴのソース又はドレイン電極と電気的に接続された第１の電極（画素電極）２１０、配向膜２１１、液晶層２０５、配向膜２０４及び第２の電極（対向電極）２０３を有する。また、ＴＦＴ２１４の下方に遮光膜２０６を有し、さらに、基板２０２、２１２に接する偏光板２０１、２０７を有する。本パネルは、発光素子２２５から発せられる光を光源としたことを特徴としており、本特徴により、バックライトを設ける必要がないため、表裏に表示画面を有するにもかかわらず、小型化及び軽量化を実現した表示装置及び電子機器を提供することができる。
【００３５】
なお、ＴＦＴ２１４、２２８は、非晶質半導体（アモルファスシリコン）と結晶質半導体（ポリシリコン）のいずれを用いても構わない。但し、ポリシリコンを用いた場合には、基板上に画素だけでなく、駆動回路も一体形成するとよい。その場合、外付けのＩＣの個数を減らすことができるため、さらなる小型化、薄型化が実現される。また、アモルファスシリコンを用いた場合でも、レーザ光の照射方法等を工夫して、基板上に非晶質半導体及び結晶質半導体を作り分けして一体形成し、画素部分はアモルファスシリコン、駆動回路部分はポリシリコンを用いてもよい。勿論、画素部のみをアモルファスシリコンで形成して、ＩＣをＴＡＢなどで接着しても構わないし、基板上に直接チップを貼り付けてもよい。
【００３６】
また、発光パネル１０１として、ＴＦＴを有するアクティブ型（アクティブマトリクス）ではなく、パッシブ型（パッシブマトリクス）を用いてもよい。その場合の断面図を図３（Ｂ）に示す。図３（Ｂ）において、基板２３１上に第１の電極（画素電極）２３２、電界発光層２３４及び第２の電極（対向電極）２３６を有する。第１の電極２３２、発光層２３４及び第２の電極２３６の積層体が発光素子２２５に相当する。またバンクとして機能する絶縁膜２３３及び樹脂膜２３５を有する。
【００３７】
電界発光層２３４としては、無機材料を主成分とした材料を用いてもよく、この場合、第１の電極２３２と電界発光層２３４の間、又は第２の電極２３６と電界発光層２３４の間に絶縁層を設けてもよい。この絶縁層としては、成膜表面の吸着反応を利用した熱ＣＶＤ法を用いて、酸化アルミニウム（Ａｌ２Ｏ３）と酸化チタニウム（ＴｉＯ２）を交互に積層した構造を用いるとよい。
【００３８】
なお、図３（Ａ）では、剥離法を用いており、より詳しくは、発光パネル１０１における基板２２０上の積層体を剥離して、液晶パネル１０２の偏光板２０７上に貼り付けている。その方法について、以下に簡単に説明する。
【００３９】
まず、石英やガラス基板からなる第１の基板上に、ＴＦＴ２２８及び発光素子２２５を形成する。形成された発光素子２２５上に絶縁膜を形成し、絶縁膜上に接着剤を形成し、該接着剤上に両面テープを貼り付け、両面テープ上に第２の基板を貼り付ける。その後、物理的手段により、第１の基板を剥離すると、ＴＦＴ２２８の下部に形成された下地膜が露出する。続いて、露出した下地膜に接着剤を形成し、この接着剤と第３の基板に貼り付ける。そして最後に、第２の基板を剥離すると、第３の基板にＴＦＴ２０１及び発光素子２２５を形成することができる。この場合、第３の基板として、例えばプラスチック基板などの温度に脆弱な基板を用いてもよい。可撓性を有するプラスチック基板を用いたパネルを用いると、用途が格段に広がる。また、プラスチック基板は軽量であるため、携帯端末には特に有効である。
【００４０】
なお、本発明は剥離法に限定されず、発光パネル１０１と液晶パネル１０２とを単純に重ねて用いてもよい。
【００４１】
（実施の形態３）
本発明を適用して作製される電子機器の一例として、ビデオカメラ、ディジタルカメラ、ゴーグル型ディスプレイ、ナビゲーションシステム、カーオーディオなどの音響再生装置、ノート型パーソナルコンピュータ、ゲーム機器、携帯情報端末（モバイルコンピュータ、携帯電話、携帯型ゲーム機又は電子書籍等）、家庭用ゲーム機などの記録媒体を備えた画像再生装置（具体的にはＤＶＤ等の記録媒体を再生し、その画像を表示しうるディスプレイを備えた装置、）などが挙げられる。それら電子機器の具体例を図４、５に示す。
【００４２】
図４（Ａ）〜（Ｃ）には携帯電話機を示し、スピーカ９３０２、マイク９３０３、表示部９３０４、ボタン９３０５、アンテナ９３０６及び表示部９３０７等を含む。開いた状態では表示部９３０４を用いて、折り畳んだ状態では表示部９３０７を用いる。表裏に配置された表示部９３０４及び９３０７を含む表示装置として、本発明を適用することができる。
【００４３】
図４（Ｄ）（Ｅ）には携帯端末のうち、タブレットＰＣを示し、表示部９１０１、９１０２及びボタン９１０３等を含む。開いた状態では表示部９１０１を用いて、折り畳んだ状態では表示部９１０２等を用いる。表裏に配置された表示部９１０１及び９１０２を含む表示装置として、本発明を適用することができる。この電子機器は、回転軸を中心に回転させて、表示部９１０１及び９１０２を兼用している。
【００４４】
図４（Ｆ）（Ｇ）には腕時計型携帯端末を示し、表示部９２０１及び９２０２、カメラ９２０３、ボタン９２０４、マイク９２０５及びスピーカ９２０６等を含む。表裏に配置された表示部９２０１及び９２０２を含む表示装置として、本発明を適用することができる。
【００４５】
図５（Ａ）（Ｂ）にはディジタルビデオカメラを示し、表示部９４０１及び９４０２、レンズ９４０３、マイク９４０４及びヒンジ９４０５等を含む。表裏に配置された表示部９４０１及び９４０２を含む表示装置として、本発明を適用することができる。
【００４６】
図５（Ｃ）〜（Ｅ）にはディジタルカメラを示し、表示部９５０１及び９５０２、レンズ９５０３及びヒンジ９５０４等を含む。表裏に配置された表示部９５０１及び９５０２を含む表示装置として、本発明を適用することができる。
【００４７】
上記構成を有する本発明は、液晶パネルを用いる際に通常必要である、バックライト（ランプ、ランプリフレクタ、反射板、導光板、拡散板等）を設ける必要がなく、表裏に表示画面を有するにも関わらず、小型化、軽量化を実現した電子機器を提供することができる。
【００４８】
本実施の形態は、上記の実施の形態と自由に組み合わせることができる。
【００４９】
【実施例】
（実施例１）
本実施例は、本発明の表示装置を用いた電子機器の構成要素とそれらの関係について、図６のブロック図を用いて説明する。本実施例では、電子機器のうち、特に携帯電話機の構成要素とそれらの関係について説明する。
【００５０】
まず、基幹となる構成要素として、液晶パネル３０４と発光パネル３０５を含む表示装置３１８、受話部であるスピーカ３０８、送話部であるマイクロホン３０７、使用者が操作する操作ボタン３１０等が挙げられる。
【００５１】
表示装置３１８はコントローラ３０６により制御される。また、送受信回路３１１、揮発性メモリ３１２、不揮発性メモリ３１３、外部インターフェイス３１４、ハードディスク３１５及び発光制御回路３１６は、ＣＰＵ３０３により集中して管理される。
【００５２】
また、表示装置３１８は、切り換え回路３１９を用いて、液晶パネル３０４と発光パネル３０５のどちらを表示画面として用いるかを制御する。液晶パネル３０４と発光パネル３０５は、表裏に配置されているため、一度に両方のパネルを用いることはなく、どちらかのパネルを用いて表示を行えばよい。
【００５３】
電子機器の充電を行う蓄電手段３１７もＣＰＵ３０３により管理される。また、ヒンジ３０１は、パネル切り換え回路３０２に接続され、ＣＰＵ３０３とコントローラ３０６を介して表示装置３１８を制御する。
【００５４】
そして、使用者が操作ボタン３１０を操作すると、ＣＰＵ３００及びコントローラ３０６を介して表示装置３１８により情報が表示される。また、使用者が相手の話を聞く拡声器となるスピーカ３０８は、使用者の耳に届くまでに、以下のような回路を介する。まず、送受信回路３１１において、相手の話の情報を受け取り、その後、ＣＰＵ３０３を介して音声コントローラ３０９に当該情報が供給される。そして、その情報がスピーカ３０８に供給されて、使用者の耳に届く。マイクロホン１０３を介して、自分の声を相手の携帯端末に供給する際には、逆の経路をたどる。
【００５５】
なお、図６には、携帯電話機の構成要素をいくつか挙げたが、本発明はこれに限定されず、その他の構成要素を具備してもよい。
【００５６】
次に、切り換え回路３１９を用いて、表示画面を切り換えるときの動作について、図９のフローチャートを用いて説明する。
【００５７】
切り換え回路３１９は、発光パネル１０１又は液晶パネル１０２のどちらを用いて画像を表示するかを制御する。発光パネル１０１を用いて画像を表示する場合、発光パネル１０１のみのドライバを起動し、発光パネル１０１を用いて画像を表示する。一方、液晶パネル１０２を用いて画像を表示する場合、発光パネル１０１と液晶パネル１０２の両方のドライバを起動し、点灯させた発光パネル１０１を光源として、液晶パネル１０２を用いて画像を表示する。
【００５８】
本実施例は、上記の実施の形態と自由に組み合わせることが可能である。
【００５９】
（実施例２）
本発明の実施例について、図７を用いて説明する。
【００６０】
一般的に、発光素子は、時間の経過とともに劣化し、輝度が低下する。特に、複数の画素の各々に発光素子を具備した表示装置の場合、各画素によって点灯頻度によって異なるため、必然的に各画素によって劣化の度合いが異なる。従って、点灯頻度の高い画素ほど劣化がひどく、焼き付き現象が生じて画質が劣化してしまう。従って、図７に示すように、使用状態ではない充電時などに、点灯頻度の低い画素を点灯させることによって、焼き付きを目立たなくさせることが可能となる。
【００６１】
このときの表示内容としては、全ての画素の点灯、標準画像（待受画面等）の明暗を反転させた画像、点灯頻度の低い画素を検出して、該画素のみを点灯する画像などが挙げられる。
【００６２】
携帯端末における動作を図６のブロック図を用いて説明すると、まず、携帯端末の筐体が充電手段３１７に接続すると、ＣＰＵ３０３にその情報が供給され、コントローラ３０６と発光制御回路（発光制御手段）３１６により、発光パネル３０５に画像が表示される。このときの画像は、前述したように、焼き付きを低減する画像を表示する。
【００６３】
なお、充電手段とは充電器などを指す。また、発光制御回路３１６は、前記発光素子を点灯又は点滅させる制御プログラムが記録された記録媒体、又は通常表示画面の明暗を反転させた反転表示画面を点灯又は点滅させる制御プログラムが記録された記録媒体を含む。
【００６４】
上記構成を有する本発明は、通常の使用状態にあたらない、充電中等に焼き付き現象を低減する画像を表示する発光制御回路を具備するため、画質の劣化を抑制した表示装置及び電子機器を提供することができる。
【００６５】
本実施例は、上記の実施の形態、実施例と自由に組み合わせることができる。
【００６６】
（実施例３）
本発明の実施例について、図８を用いて説明する。
【００６７】
発光素子を構成する一対の電極のうち、一方の電極の端面を覆うように絶縁膜２４２（バンクともよぶ）を形成する。この絶縁膜２４２を形成する材料は特に限定されず、無機又は有機の材料で形成することができるが、感光性の有機物を用いて形成すると、開口部の形状が電界発光層を蒸着する際に段切れなどが起こりにくいものとなるため好ましい。
【００６８】
例えば、絶縁膜２４２の材料としてネガ型の感光性樹脂を用いた場合、図８（Ａ）のように、絶縁膜２４２の上端部に第１の曲率半径を有する曲面、絶縁膜２４２の下端部に第２の曲率半径を有する曲面を有するように形成される。第１及び第２の曲率半径は、０．２μｍ〜３μｍ、また開口部の壁面のＩＴＯに対する角度は３５°以上とすることが好ましい。
【００６９】
また、絶縁膜２４２の材料として、ポジ型の感光性樹脂を用いた場合、開口部の形状は図８（Ｂ）のように絶縁膜２４２の上端部は曲率半径を有する曲面となる。さらに、絶縁膜２４２の開口部をドライエッチングで作製した場合は図８（Ｃ）に示すような形状となる。このように、開口部の形状は、絶縁膜２４２の材料に依存するため、該材料は作製工程などに応じて適宜決定すればよい。
【００７０】
本実施例は、上記の実施の形態、実施例と自由に組み合わせることができる。
【００７１】
（実施例４）
本発明において用いる電界発光素子は、一対の電極（陽極及び陰極）間に少なくとも第１の発光層と第２の発光層と含む電界発光層を挟持させた構造を有する。第１の発光層では、キャリアの再結合により発光材料が励起され、モノマーとして励起状態を形成することにより発光（青色発光：ｈν１）が得られる。また、第２の発光層では、キャリアの再結合等により燐光材料が励起され、モノマーとして励起状態を形成することにより得られる燐光発光（緑色発光：ｈν２）と、励起状態にあるモノマーと、基底状態にあるモノマーとが励起２量体（エキシマー）を形成することにより得られるエキシマー発光（赤色（もしくはオレンジ色）：ｈν２’）の両方の発光が同時に得られる。
【００７２】
第２の発光層において、燐光材料から得られるエキシマー状態は、燐光材料の励起状態よりもエネルギー状態が低いため、エキシマー発光（ｈν２’）は、通常の燐光発光（ｈν２よりも必ず長波長側（具体的には数十ｎｍ以上長波長側）に現れる。従って、緑色発光を呈する波長領域に燐光発光が得られる燐光材料を用いた場合には、エキシマー発光が赤色発光を呈する波長領域に現れることになる。つまり、燐光材料から得られる緑色発光および赤色発光と、他の発光材料から得られる青色発光とを組み合わせることにより、赤色、緑色、青色の各波長領域にピークを有し、なおかつ高効率な白色発光を得ることができる。
【００７３】
なお、燐光材料からエキシマー状態を形成するためには、励起状態にあるモノマーが基底状態にあるモノマーとの相互作用により２量体を形成しやすい状態にすることが必要となる。具体的には、第２の発光層において燐光材料をホスト材料中に１０ｗｔ％〜４０ｗｔ％、さらに１２．５ｗｔ％〜２０ｗｔ％の濃度で存在させることがより好ましい。その他、白金錯体のように平面性の高い構造を持つ燐光材料をゲスト材料として用い、これらの燐光材料の中心イオン（もしくは原子）間距離をある範囲内とすることが好ましい。
【００７４】
なお、青色発光を呈する第１の発光層は、単一物質（青色の発光体）を用いて形成してもよいし、ホスト材料と青色の発光体であるゲスト材料を用いて形成してもよい。さらに、この電界発光素子を形成する上で、第１の発光層と第２の発光層の両方を発光させるためのデバイス設計が必要となる。具体的には、電界発光層を構成する第１の発光層、第２の発光層や、その他の層との間におけるイオン化ポテンシャルの関係を最適なものとする必要がある。
【００７５】
本実施例は、上記の実施の形態、実施例と自由に組み合わせることができる。
【００７６】
（実施例５）
本実施例では、表示装置に用いる画素回路の一例について、図１０〜図１２を用いて説明する。
【００７７】
図１０に示す画素は、発光素子４０４と、ビデオ信号の画素への入力を制御するためのスイッチング素子として用いるトランジスタ（スイッチング用トランジスタ）４０１、発光素子４０４に流れる電流値を制御する駆動用トランジスタ４０２、発光素子４０４への電流の供給を制御する電流制御用トランジスタ４０３を有する。また、ビデオ信号の電位を保持するための容量素子４０５を有する。
しかしながら、電流制御用トランジスタ４０３のゲート容量等により代用可能な場合は、容量素子４０５を設けなくても構わない。
【００７８】
駆動用トランジスタ４０２及び電流制御用トランジスタ４０３は同じ極性である。駆動用トランジスタ４０２にはディプリーション型トランジスタ、駆動用トランジスタ４０２以外のトランジスタは、通常のエンハンスメント型トランジスタとする。また、駆動用トランジスタ４０２を飽和領域、電流制御用トランジスタ４０３を線形領域で動作させる。また、駆動用トランジスタ４０２のＬ（ゲート長）をＷ（ゲート幅）より長く、電流制御用トランジスタ４０３のＬをＷと同じか、それより短くてもよい。より望ましくは、駆動用トランジスタ４０２のＷに対するＬの比が５以上にするとよい。
【００７９】
次に、図１０に示した画素の駆動方法について説明する。図１０に示す画素は、その動作を書き込み期間、保持期間とに分けて説明することができる。まず書き込み期間において走査線Ｇｊ（ｊ＝１〜ｙ）が選択されると、走査線Ｇｊ（ｊ＝１〜ｙ）にゲートが接続されているスイッチング用トランジスタ４０１がオンになる。そして、信号線Ｓ１〜Ｓｘに入力されたビデオ信号が、スイッチング用トランジスタ４０１を介して電流制御用トランジスタ４０３のゲートに入力される。なお、駆動用トランジスタ４０２はゲートが電源線Ｖｉ（ｉ＝１〜ｘ）に接続されているため、常にオン状態である。
【００８０】
ビデオ信号によって電流制御用トランジスタ４０３がオンになる場合、電源線Ｖｉ（ｉ＝１〜ｘ）を介して、発光素子４０４に電流が流れる。このとき、電流制御用トランジスタ４０３は線形領域で動作しているため、発光素子４０４に流れる電流は、飽和領域で動作する駆動用トランジスタ４０２と発光素子４０４の電圧電流特性によって決まる。そして発光素子４０４は、供給される電流に見合った高さの輝度で発光する。
【００８１】
またビデオ信号によって電流制御用トランジスタ４０３がオフになる場合は、発光素子４０４への電流の供給は行なわれず、発光素子４０４は発光しない。なお本発明では、駆動用トランジスタ４０２がディプリーション型であっても、電流制御用トランジスタ４０３がエンハンスメント型なので、発光素子４０４に電流が供給されないように制御することができる。
【００８２】
保持期間では、走査線Ｇｊ（ｊ＝１〜ｙ）の電位を制御することでスイッチング用トランジスタ４０１をオフにし、書き込み期間において書き込まれたビデオ信号の電位を保持する。書き込み期間において電流制御用トランジスタ４０３をオンにした場合、ビデオ信号の電位は容量素子４０５によって保持されているので、発光素子４０４への電流の供給は維持されている。逆に、書き込み期間において電流制御用トランジスタ４０３をオフにした場合、ビデオ信号の電位は容量素子４０５によって保持されているので、発光素子４０４への電流の供給は行なわれていない。
【００８３】
次に、上記とは異なる構成の画素について、図１１を用いて説明する。図１１に示す構成では、２本の電源線が設けられ、駆動用トランジスタ５０２のゲート電極が新たに配置された電源線に接続されている以外は、図１０に示す構成と同じであるため、詳しい説明は省略する。続いて、図１１に示した画素の駆動方法について説明する。
【００８４】
まず書き込み期間において走査線Ｇｊ（ｊ＝１〜ｙ）が選択されると、走査線Ｇｊ（ｊ＝１〜ｙ）にゲートが接続されているスイッチング用トランジスタ５０１がオンになる。そして、信号線Ｓ１〜Ｓｘに入力されたビデオ信号が、スイッチング用トランジスタ５０１を介して電流制御用トランジスタ５０３のゲートに入力される。なお、駆動用トランジスタ５０２はゲートが第１の電源線Ｖｉ（ｉ＝１〜ｘ）に接続されているため、常にオン状態である。
【００８５】
ビデオ信号によって電流制御用トランジスタ５０３がオンになる場合は、第１の電源線Ｖｉ（ｉ＝１〜ｘ）を介して発光素子５０４に電流が流れる。このとき電流制御用トランジスタ５０３は線形領域で動作しているため、発光素子５０４に流れる電流は、飽和領域で動作する駆動用トランジスタ５０２と発光素子５０４の電圧電流特性によって決まる。そして発光素子５０４は、供給される電流に見合った高さの輝度で発光する。またビデオ信号によって電流制御用トランジスタ５０３がオフになる場合は、発光素子５０４への電流の供給は行なわれず、発光素子５０４は発光しない。
【００８６】
保持期間では、走査線Ｇｊ（ｊ＝１〜ｙ）の電位を制御することでスイッチング用トランジスタ５０１をオフにし、書き込み期間において書き込まれたビデオ信号の電位を保持する。書き込み期間において電流制御用トランジスタ５０３をオンにした場合、ビデオ信号の電位は容量素子５０５によって保持されているので、発光素子５０４への電流の供給は維持されている。逆に、書き込み期間において電流制御用トランジスタ５０３をオフにした場合、ビデオ信号の電位は容量素子５０５によって保持されているので、発光素子５０４の両電極間に電流は流れない。
【００８７】
次に、上記とは異なる構成の画素について、図１２を用いて説明する。図１１に示す構成では、２本の走査線が設けられ、駆動用トランジスタ６０２のゲート電極が新たに配置された走査線に接続された以外は、図１１に示す構成と同じであるため、詳しい説明は省略する。続いて、図１２に示した画素の駆動方法について説明する。図１２に示す画素の動作について、書き込み期間、点灯期間および非点灯期間とに分けて説明する。
【００８８】
まず書き込み期間において第１の走査線Ｇａｊ（ｊ＝１〜ｙ）が選択されると、第１の走査線Ｇａｊ（ｊ＝１〜ｙ）にゲートが接続されているスイッチング用トランジスタ６０１がオンになる。そして、信号線Ｓ１〜Ｓｘに入力されたビデオ信号が、スイッチング用トランジスタ６０１を介して電流制御用トランジスタ６０３のゲートに入力される。同時に、ビデオ信号の電位は容量素子６０５によって保持される。
【００８９】
点灯期間では第２の走査線Ｇｅｊ（ｊ＝１〜ｙ）が選択され、第２の走査線Ｇｅｊ（ｊ＝１〜ｙ）にゲートが接続されている駆動用トランジスタ６０２がオンになる。このとき容量素子６０５によって保持されたビデオ信号の電位により、電流制御用トランジスタ６０３がオンになる場合は、電源線Ｖｉ（ｉ＝１〜ｘ）を介して電流が発光素子６０４に供給される。このとき電流制御用トランジスタ６０３は線形領域で動作しているため、発光素子６０４に流れる電流は、飽和領域で動作する駆動用トランジスタ６０２と発光素子６０４の電圧電流特性によって決まる。そして発光素子６０４は、供給される電流に見合った高さの輝度で発光する。
【００９０】
また容量素子６０５によって保持されたビデオ信号の電位によって電流制御用トランジスタ６０３がオフになる場合は、発光素子６０４への電流の供給は行なわれず、発光素子６０４は発光しない。
【００９１】
非点灯期間では、第２の走査線Ｇｅｊ（ｊ＝１〜ｙ）により、駆動用トランジスタ６０２をオフとする。これにより、発光素子６０４への電流の供給は行なわれない。
【００９２】
なお、書き込み期間においては、第２の走査線Ｇｅｊ（ｊ＝１〜ｙ）を選択しても、非選択としてもよい。
【００９３】
本実施例は、上記の実施の形態、実施例と自由に組み合わせることができる。
【００９４】
（実施例６）
本実施例では、本発明に適用可能な、デプレッション型ＴＦＴを用いたソースフォロワ回路について、図１３を用いて説明する。
【００９５】
図１３（Ａ）には、本発明のデプレッション型ＴＦＴ７０１と、定電流源７０２、入力端子７０３及び出力端子７０４を有するソースフォロワ回路を示す。なお本実施例では、デプレッション型ＴＦＴは１０１に示すような記号を用いて記載する。定電流源７０２は公知のものを使用すればよく、特に多結晶シリコンＴＦＴを用いて構成する場合には、デプレッション型にするとよい。
【００９６】
図１３（Ｂ）にはデプレッション型ＴＦＴのＶＧ−ＩＤ特性を示す。図示するように、デプレッション型ＴＦＴのゲート・ソース間電圧（ＶＧＳ）が非常に小さい。つまりデプレッション型ＴＦＴのゲート・ソース間電圧（ＶＧＳ）ほぼ０〜１Ｖ程度である。このように、デプレッション型ＴＦＴを用いると、低消費電力を達成することができる。
【００９７】
なお、図示するソースフォロワ回路は、基本回路の構成を図示したものであり、その他の回路が接続されていても構わない。また、図示するように、ソースフォロワ回路は、オペアンプ回路等の他のアナログバッファ回路と比べて構成や作製工程が複雑でないため、駆動回路等の集積回路に適する。特に、多結晶シリコンＴＦＴを有する駆動回路部及び画素部を一体形成した液晶表示装置の信号線駆動回路に適する。
【００９８】
本実施例は、上記の実施の形態、実施例と自由に組み合わせることができる。
【００９９】
（実施例７）
表示装置に多階調の画像を表示するときの駆動方式としては、アナログ駆動とデジタル駆動が挙げられる。両方式の相違点は、発光素子の発光、非発光のそれぞれの状態において該発光素子を制御する方法にある。前者のアナログ駆動は、発光素子に流れる電流を制御して階調を表現する。また後者のデジタル駆動は、発光素子がオン状態（輝度がほぼ１００％である状態）と、オフ状態（輝度がほぼ０％である状態）の２つの状態のみによって階調表現する。デジタル駆動は、オンとオフの２つの状態だけを用いると、２階調しか表示出来ないため、別の方式と組み合わせて多階調の画像を表示する駆動方法があり、例えば面積階調方式や、時間階調方式が挙げられる。
【０１００】
本発明の表示装置は、液晶パネル及び発光パネル問わず、アナログ駆動やデジタル駆動のいずれを適用してもよく、また、デジタル駆動において面積階調方式や時間階調方式のいずれを適用してもよい。また、本実施例には挙げなかった他の駆動方式を適用してもよい。
【０１０１】
なお、上述したように、本発明の表示装置は、アクティブマトリクス型、パッシブマトリクス型のどちらでも構わない。但し、アクティブマトリクス型を適用した場合には、発光素子は電流駆動型の素子であるため、画素内のトランジスタのバラツキが少ない場合にアナログ駆動を用いることが好適である。また、デジタル駆動でも、駆動用のトランジスタを飽和領域で動作させることで、一定の電流量を発光素子に供給することが好適である。つまり、どちらの駆動方法を適用するにしても、電流駆動型の素子を用いる以上、一定の電流量を供給することができるような画素構成を適用し、さらにそれに最適な駆動方法を用いることが好ましい。
【０１０２】
本実施例では、上記駆動方式のうち、時間階調方式について簡単に説明する。通常、液晶表示装置や発光装置等の表示装置においては、フレーム周波数は６０Ｈｚ程度である。つまり、１秒間に６０回程度の画面の描画が行われる。これにより、人間の眼にフリッカ（画面のちらつき）を感じさせないようにすることが出来る。このとき、画面の描画を１回行う期間を１フレーム期間と呼ぶ。そして、時間階調方式では、１フレーム期間を複数のサブフレーム期間に分割する。このときの分割数は、階調ビット数に等しい場合が多く、ここでは簡単のために、分割数が階調ビット数に等しい場合を示す。ここでは、３ビット階調の場合、つまり３つのサブフレーム期間ＳＦ１〜ＳＦ３に分割した場合について説明する。
【０１０３】
各サブフレーム期間は、書き込み期間Ｔａと、発光期間Ｔｓを有する。アドレス期間とは、画素にビデオ信号を書き込む期間であり、各サブフレーム期間での長さは等しい。サステイン期間は、アドレス期間において画素に書き込まれたビデオ信号に基づいて発光素子が発光する期間である。このとき、発光ＳＦ１〜ＳＦ３は、その長さの比をＴｓ１：Ｔｓ２：Ｔｓ３＝４：２：１とする。つまり、ｎビット階調を表現する際、ｎ個のサステイン期間の長さの比は、２（ｎ−１）：２（ｎ−２）：・・・：２１：２０とする。そして、どのサステイン期間で発光素子が発光するかによって、１フレーム期間あたりに、各画素が発光する期間の長さが決定し、これによって階調表現を行う。
【０１０４】
つまり、サステイン期間Ｔｓ１〜Ｔｓ３のそれぞれにおいて、発光、非発光のいずれかの状態をとることによって、その合計発光時間の長短を利用して、輝度０％、１４％、２８％、４３％、５７％、７１％、８６％、１００％の８階調を表現する。例えば、Ｔｓ１が発光し、Ｔｓ２、Ｔｓ３が発光しない場合、その輝度は５７％であり、Ｔｓ１とＴｓ３が発光し、Ｔｓ２が発光しない場合、その輝度は７１％となる。つまり時間階調方式の場合は、１００％の輝度で、合計発光時間のうち７１％の長さの時間で発光することによって同様の階調を表現する。
【０１０５】
なお、表示階調数を増やしたい場合は、サブフレーム期間の分割数を増やせば良い。また、サブフレーム期間の順序は、必ずしも上位ビットから下位ビットといった順序である必要はなく、１フレーム期間中、ランダムに並んでいても良い。さらに各フレーム期間内で、その順序が変化しても良い。
【０１０６】
本実施例は、上記の実施の形態、実施例と自由に組み合わせることができる。
【０１０７】
【発明の効果】
上記構成を有する本発明は、液晶パネルを用いる際に通常必要である、バックライト（ランプ、ランプリフレクタ、反射板、導光板、拡散板等）を設ける必要がなく、表裏に表示画面を有するにも関わらず、小型化、軽量化を実現した表示装置及び電子機器を提供することができる。
【０１０８】
また、発光素子を光源とし、液晶素子を用いて画像を表示する際には、液晶素子が黒を表示する場合に、発光素子も非点灯にすることで、低消費電力化を実現した表示装置及び電子機器を提供することができる。
【０１０９】
さらに、通常の使用状態にあたらない、充電中等に焼き付き現象を低減する画像を表示する発光制御回路を具備するため、画質の劣化を抑制した表示装置及び電子機器を提供することができる。
【図面の簡単な説明】
【図１】第１及び第２の表示画面を有する本発明の表示装置を説明する図。
【図２】第１及び第２の表示画面を有する本発明の表示装置を説明する図。
【図３】第１及び第２の表示画面を有する本発明の表示装置の断面構造を説明する図。
【図４】本発明の表示装置を適用した電子機器（携帯端末、タブレットＰＣ、腕時計型携帯端末）を示す図。
【図５】本発明の表示装置を適用した電子機器（ディジタルビデオカメラ、ディジタルスチルカメラ）を示す図。
【図６】電子機器のシステムを示す図。
【図７】本発明の表示装置を適用した電子機器を充電している状態を示す図。
【図８】薄膜トランジスタの断面構造を説明する図。
【図９】切り換え回路のフローチャートを示す図。
【図１０】表示装置に具備される画素の回路図。
【図１１】表示装置に具備される画素の回路図。
【図１２】表示装置に具備される画素の回路図。
【図１３】表示装置に具備されるソースフォロワ回路の回路図。
【図１】
2004325600.tif 000003
【図２】
2004325600.tif 000004
【図３】
2004325600.tif 000005
【図４】
2004325600.tif 000006
【図５】
2004325600.tif 000007
【図６】
2004325600.tif 000008
【図７】
2004325600.tif 000009
【図８】
2004325600.tif 000010
【図９】
2004325600.tif 000011
【図１０】
2004325600.tif 000012
【図１１】
2004325600.tif 000013
【図１２】
2004325600.tif 000014
【図１３】
2004325600.tif 000015